(57)【要約】【課題】本発明は、簡単且つ安価な構造で充填圧力を調整でき、一定圧力に抑えることができるスプレー缶充填用ギヤポンプを実現することを目的とする。【解決手段】互いに噛み合う１対の平歯車２０，２０′と、該１対の平歯車２０，２０′を回転可能に収容するケース２１とを具備し、且つ前記ケース２１には吸入孔２２及び排出孔２８が穿設されてなるスプレー缶充填用ギヤポンプにおいて、前記吸入孔２２と排出孔２８とを連通する流路２９を設け、該流路２９に、排出孔２８から吸入孔２２方向へのみ開く一方向弁３２と、該一方向弁３２の開放圧力を調節する調節ねじ３３とよりなる圧力調整装置３１を設けて成るように構成する。【選択図】      図１
2004339981.tif 000002
【特許請求の範囲】
【請求項１】
互いに噛み合う１対の平歯車（２０，２０′）と、該１対の平歯車（２０，２０′）を回転可能に収容するケース（２１）とを具備し、且つ前記ケース（２１）には吸入孔（２２）及び排出孔（２８）が穿設されてなるスプレー缶充填用ギヤポンプにおいて、
前記吸入孔（２２）と排出孔（２８）とを連通する流路（２９）を設け、該流路（２９）に、排出孔（２８）から吸入孔（２２）方向へのみ開く一方向弁（３２）と、該一方向弁（３２）の開放圧力を調節する調節ねじ（３３）とよりなる圧力調整装置（３１）を設けたとを特徴とするスプレー缶充填用ギヤポンプ。
【請求項２】
前記一方向弁（３２）は、ボール（３２ａ）と該ボール（３２ａ）を押圧するスプリング（３２ｂ）とよりなるボールバルブであることを特徴とする請求項１記載のスプレー缶充填用ギヤポンプ。
【発明の詳細な説明】
【０００１】
【発明の属する技術分野】
本発明はスプレー缶充填用ギヤポンプに関する。詳しくは、吐出圧力を調整することができる圧力調整装置を有し、且つ安価に製造できるスプレー缶充填用ギヤポンプに関する。
【０００２】
【従来の技術】
従来より、スプレー缶は、整髪料や防虫液といったスプレー物を収納し、このスプレー物を噴霧等により排出する容器として広く用いられている。このスプレー缶は、前述した整髪料や防虫液をはじめとする液体あるいはゲル状物質からなるスプレー物及び、フロン、代替フロン、ＬＰＧ等からなる圧縮ガスを収納するスプレー缶本体と、このスプレー缶本体に穿孔された排出孔を開閉操作するために缶頭に取り付けられた操作具と、缶底に溜まったスプレー物を缶底から排出孔に導くための排出管とを備えている。
【０００３】
このように構成されたスプレー缶では、操作具を操作して排出孔を開口すると、圧縮ガスに押圧されたスプレー物が排出管を経て排出孔に導かれ外部に排出される。しかし、このようなスプレー缶では、スプレー物と一緒に圧縮ガスが排出されることがあり、また、缶底を上にして排出孔を開口すると、圧縮ガスだけが外部に排出されることがあった。そのため、スプレー物を排出しきる前に、スプレー缶内の圧縮ガス量が不足して、スプレー物を排出できなくなるという問題があった。
【０００４】
また、圧縮ガスとしてフロンあるいは代替フロンを用いた場合、フロン等が外部に排出されるとオゾン層が破壊され、地球環境へ甚大な影響を及ぼすという問題があった。一方、圧縮ガスがＬＰＧである場合、ＬＰＧは可燃性であるので、ＬＰＧを収納したスプレー缶をストーブ等の熱源で加熱したり、重量物をスプレー缶上に落下させるなどしてスプレー缶を急激に収縮させたりすると、スプレー缶が爆発する恐れがあるという問題があった。
【０００５】
このため、最近ではフロン、代替フロン、ＬＰＧ等を用いず、圧縮空気を用いるスプレー缶が考案されている。このスプレー缶は、図２に示すように、スプレー缶本体１と操作具２と、該操作具２に連通してスプレー缶本体内に収納された収納袋３とを備え、該収納袋３にスプレー物４を収納すると共に、スプレー缶本体と前記収納袋との間の空間５に図示なきバルブから圧縮空気を充填している。そして、操作具２を操作することにより圧縮空気により収納袋を介して押圧されているスプレー物４を排出口６から排出することができるようになっている。
【０００６】
上記スプレー缶はスプレー物４がなくなった場合、スプレー物４を補充して再使用することができる。この場合、スプレー物の補充にはスプレー缶充填用のポンプが必要である。例えば図３に示すようなギヤポンプが用いられる。このギヤポンプ７は、互いに噛み合う１対の平歯車８，８′と、該１対の平歯車８，８′を回転可能に収容するケース９とを具備し、且つ前記ケース９には吸入孔１０及び排出孔１１が設けられ、図示なき駆動装置により軸１２を介して平歯車８，８′を回転させることによりタンク１３内のスプレー物を吸入孔１０より吸入し、排出孔１１から排出し、流路１４を通って充填用ノズル１５よりスプレー缶１６にスプレー物を充填できるようになっている。
【０００７】
【特許文献１】
特開２０００−７０６４号公報
【０００８】
【発明が解決しようとする課題】
上記のような従来のギヤポンプでは、スプレー缶にスプレー物を充填するとき、スプレー物を充填し過ぎると、スプレー缶内の圧力が上昇してスプレー缶を破裂させ、危険であるという問題がある。
【０００９】
本発明は、上記従来の問題点に鑑み、簡単且つ安価な構造で充填圧力を調整でき、一定圧力に抑えることができるスプレー缶充填用ギヤポンプを実現することを目的とする。
【００１０】
【課題を解決するための手段】
上記目的を達成するため、本発明の請求項１は、互いに噛み合う１対の平歯車２０，２０′と、該１対の平歯車２０，２０′を回転可能に収容するケース２１とを具備し、且つ前記ケース２１には吸入孔２２及び排出孔２８が穿設されてなるスプレー缶充填用ギヤポンプにおいて、前記吸入孔２２と排出孔２８とを連通する流路２９を設け、該流路２９に、排出孔２８から吸入孔２２方向へのみ開く一方向弁３２と、該一方向弁３２の開放圧力を調節する調節ねじ３３とよりなる圧力調整装置３１を設けたとを特徴とする。また、請求項２は、前記一方向弁３２は、ボール３２ａと該ボール３２ａを押圧するスプリング３２ｂとよりなるボールバルブであることを特徴とする。
【００１１】
この構成を採ることにより、簡単且つ安価な構造で吐出圧力を調整でき、一定圧力に抑えることができるスプレー缶充填用ギヤポンプが得られる。
【００１２】
【発明の実施の形態】
図１は本発明の液体圧送用ギヤポンプの実施の形態を示す図で（ａ）は（ｂ）図のａ−ａ線における断面図、（ｂ）は（ａ）図のｂ−ｂ線における断面図である。本実施の形態は同図に示すように、互いに噛み合う１対の平歯車２０，２０′と、該１対の平歯車２０，２０′を回転可能に収容するケース２１とを具備している。そして前記ケース２１は平歯車２０，２０′を収容する繭状の凹部が形成されたケース本体２１ａと、前記凹部を蓋するカバー２１ｂとよりなり、該カバー２１ｂには平歯車２０，２０′の噛み合いが離れる点の近傍に吸入孔２２と、スプレー物貯蔵用のタンク２３を結合する凹部２４とが形成されている。
【００１３】
また、一方の平歯車２０は歯車軸２５の一端に固定され、該歯車軸２５の他端は駆動用モータ２６の出力軸２６ａに継手２７により連結されている。そして駆動用モータ２６は平歯車２０を矢印方向に回転するようになっている。
また、ケース本体２１ａには平歯車２０，２０′の噛み合いが始まる点の近傍に排出孔２８が穿設され、また該排出孔２８に接続して水平に伸びる流路２９が形成されている。
【００１４】
また、ケース本体２１ａには前記カバー２１ｂに設けられた吸入孔２２と同一位置に吸入孔３０が穿設され、前記流路２９に接続している。そして、前記排出孔２８と吸入孔３０との間の流路２９には、排出孔２８から吸入孔３０方向へのみスプレー物を通過させる圧力調整装置３１が設けられている。そして該圧力調整装置３１はボール３２ａと該ボール３２ａを弁座方向へ押圧するように付勢するスプリング３２ｂとよりなる一方向弁３２と、前記スプリング３２ｂを押圧して付勢力を調節できる調節ねじ３３とより構成されている。
また、前記流路２９の一端にはスプレー物をスプレー缶に充填するための充填用ノズル３４が設けられている。
【００１５】
このように構成された本発明の液体圧送用ギヤポンプの作用を図１により説明する。先ず、スプレー物が入ったタンク２３をカバー２１ｂの凹部２４にセットし、ケース本体２１ａに設けられた充填用ノズル３４に空のスプレー缶３５をセットする。そして、駆動用モータ２６により歯車軸２５を介して平歯車２０，２０′を回転させる。平歯車２０，２０′が回転すると、該平歯車２０，２０′がギヤポンプとして作用し、吸入孔２２よりタンク２３内のスプレー物を吸引し排出孔２８より排出し、更に流路２９を通して充填用ノズル３４よりスプレー缶３５にスプレー物を充填することができる。
【００１６】
上記の如く充填が行われ、充填が進行するとスプレー缶内の圧力が上昇するが、所定の圧力になると圧力調整装置３１の一方向弁３２が開きスプレー物を吸入孔の方へ還流する。これにより、スプレー缶の破裂は防止される。なお、所定圧力は圧力調整装置３１の調節ねじ３３を出し入れしてスプリング３２ｂの付勢力を調整することにより可能である。
【００１７】
【発明の効果】
本発明のスプレー缶充填用ギヤンポンプに依れば、吸入孔と排出孔との間に圧力調整弁を設けたことにより、簡単且つ安価な構成でスプレー缶への注入圧を一定にすることができ、缶の破裂を防止し安全面での効果が得られる。
【図面の簡単な説明】
【図１】本発明のスプレー缶充填用ギヤンポンプの実施の形態を示す断面図であり、（ａ）は（ｂ）図のａ−ａ線における断面図、（ｂ）は（ａ）図のｂ−ｂ線における断面図である。
【図２】従来の圧縮空気を用いるスプレー缶示す概略断面図である。
【図３】従来のギヤポンプの１例を示す図で、（ａ）は（ｂ）図のａ−ａ線における断面図、（ｂ）は（ａ）図のｂ−ｂ線における断面図である。
【符号の説明】
２０，２０′…平歯車
２１…ケース
２１ａ…ケース本体
２１ｂ…カバー
２２，３０…吸入孔
２３…タンク
２４…凹部
２５…歯車軸
２６…駆動用モータ
２６ａ…出力軸
２７…継手
２８…排出孔
２９…流路
３１…圧力調整装置
３２…一方向弁
３２ａ…ボール
３２ｂ…スプリング
３３…調節ねじ
３４…充填用ノズル
３５…スプレー缶
【図１】
2004339981.tif 000003
【図２】
2004339981.tif 000004
【図３】
2004339981.tif 000005